(57)【要約】  アクセスノードは、UEに同期情報を提供し得る。アクセスノードは、基本ネットワーク構成情報を含み得る1つまたは複数の情報ブロックをさらに提供し得る。同期情報および/または情報ブロックに基づいて、UEは、ランダムアクセスプリアンブル、UEの識別子、および/またはバッファステータス報告を含むメッセージをアクセスノードに送信し得る。UEからのメッセージに基づいて、アクセスノードは、UEがアクティブのままであるべきであると決定し、したがって、UEがアクティブのままであるべきであることを示す第1のメッセージに対する応答をUEに送信し得る。その後、UEは、接続セットアップまたは接続再構成メッセージを受信し得る。接続セットアップまたは再構成メッセージは、UEが同期情報および/または1つもしくは複数の情報ブロックを受信した同じまたは異なるアクセスノードから受信され得る。
2018537896.tif 000002
【特許請求の範囲】
【請求項１】
ユーザ機器(UE)によるワイヤレス通信のための方法であって、
接続再構成プロセスを円滑にするために、ランダムアクセスプリアンブルおよびUE識別子を含む第1のメッセージを第1のアクセスノードに送信するステップと、
前記第1のアクセスノードから、前記第1のメッセージに対する応答を受信するステップと、
前記第1のメッセージに対する前記応答に基づいて前記接続再構成プロセスを維持するステップと
を含む方法。
【請求項２】
第2のアクセスノードから接続再構成メッセージを受信するステップ
をさらに含む、請求項1に記載の方法。
【請求項３】
前記接続再構成メッセージが、前記第2のアクセスノードに関連するセル識別子、タイミングアドバンス情報、セル無線ネットワーク一時識別子(C-RNTI)、アップリンク割当てデータ、またはダウンリンク割当てデータのうちの少なくとも1つを含む、請求項2に記載の方法。
【請求項４】
前記第1のアクセスノードおよび前記第2のアクセスノードが同じアクセスノードである、請求項2に記載の方法。
【請求項５】
前記第1のアクセスノードから、マスタ情報ブロック(MIB)および同期信号を受信するステップと、
前記MIBに基づいて前記第1のメッセージを生成するステップと
をさらに含み、前記第1のメッセージの前記送信が、前記同期信号に基づく
請求項1に記載の方法。
【請求項６】
前記第1のメッセージに対する前記応答が1ビットである、請求項1に記載の方法。
【請求項７】
前記第1のメッセージに対する前記応答が、前記UE識別子または同期信号識別子のうちの1つによってシードされる基準信号を含む、請求項6に記載の方法。
【請求項８】
前記第1のメッセージが、前記接続再構成プロセスを開始するためにバッファステータス報告をさらに含む、請求項1に記載の方法。
【請求項９】
前記第1のメッセージが、前記第1のアクセスノードとのタイミング整合なしに送信される、請求項1に記載の方法。
【請求項１０】
前記第1のメッセージに対する前記応答に基づいて前記接続再構成プロセスを維持する前記ステップが、
前記接続再構成プロセスを継続するために、接続再構成メッセージを待つステップ
を含む、請求項1に記載の方法。
【請求項１１】
前記接続再構成プロセスの前記円滑化が、前記接続再構成プロセスの開始、前記UEのためのモビリティ管理手順、または前記UEのためのページング受信のうちの少なくとも1つに関連する、請求項1に記載の方法。
【請求項１２】
ワイヤレス通信のための装置であって、前記装置がユーザ機器(UE)であり、
接続再構成プロセスを円滑にするために、ランダムアクセスプリアンブルおよびUE識別子を含む第1のメッセージを第1のアクセスノードに送信するための手段と、
前記第1のアクセスノードから、前記第1のメッセージに対する応答を受信するための手段と、
前記第1のメッセージに対する前記応答に基づいて前記接続再構成プロセスを維持するための手段と
を含む装置。
【請求項１３】
第2のアクセスノードから接続再構成メッセージを受信するための手段
をさらに含む、請求項12に記載の装置。
【請求項１４】
前記接続再構成メッセージが、前記第2のアクセスノードに関連するセル識別子、タイミングアドバンス情報、セル無線ネットワーク一時識別子(C-RNTI)、アップリンク割当てデータ、またはダウンリンク割当てデータのうちの少なくとも1つを含む、請求項13に記載の装置。
【請求項１５】
前記第1のアクセスノードから、マスタ情報ブロック(MIB)および同期信号を受信するための手段と、
前記MIBに基づいて前記第1のメッセージを生成するための手段と
をさらに含み、前記第1のメッセージを送信するための前記手段が、前記同期信号に基づいて送信するように構成される
請求項12に記載の装置。
【請求項１６】
前記第1のメッセージに対する前記応答が、前記UE識別子または同期信号識別子のうちの1つによってシードされる基準信号を含む、請求項12に記載の装置。
【請求項１７】
前記第1のメッセージが、前記接続再構成プロセスを開始するためにバッファステータス報告をさらに含む、請求項12に記載の装置。
【請求項１８】
第1のアクセスノードによるワイヤレス通信のための方法であって、
ランダムアクセスプリアンブルとUE識別子とを含む第1のメッセージをユーザ機器(UE)から受信するステップと、
接続再構成プロセスに関連して、前記第1のメッセージに対する応答を前記UEに送信するステップと、
前記UEのための前記接続再構成プロセスを円滑にするステップと
を含む方法。
【請求項１９】
前記UEのための前記接続再構成プロセスを継続するために、接続再構成メッセージを送信するステップ
をさらに含む、請求項18に記載の方法。
【請求項２０】
前記接続再構成メッセージが、セル識別子、タイミングアドバンス情報、セル無線ネットワーク一時識別子(C-RNTI)、アップリンク割当てデータ、またはダウンリンク割当てデータのうちの少なくとも1つを含む、請求項19に記載の方法。
【請求項２１】
前記UEのための前記接続再構成プロセスを継続するために、接続再構成メッセージを送信するように第2のアクセスノードに指示するステップ
をさらに含む、請求項18に記載の方法。
【請求項２２】
マスタ情報ブロック(MIB)および同期信号を送信するステップ
をさらに含む、請求項18に記載の方法。
【請求項２３】
前記第1のメッセージに対する前記応答が1ビットであり、前記UE識別子または同期信号識別子のうちの1つによってシードされる基準信号を含む、請求項18に記載の方法。
【請求項２４】
前記第1のメッセージがバッファステータス報告を含む、請求項18に記載の方法。
【請求項２５】
前記UEのための前記接続再構成プロセスを容易にする前記ステップが、前記接続再構成プロセスの開始、前記UEのためのモビリティ管理の提供、または前記UEへのページの送信のうちの少なくとも1つを含む、請求項18に記載の方法。
【請求項２６】
ワイヤレス通信のための装置であって、前記装置が第1のアクセスノードであり、
ランダムアクセスプリアンブルとUE識別子とを含む第1のメッセージをユーザ機器(UE)から受信するための手段と、
接続再構成プロセスに関連して、前記第1のメッセージに対する応答を前記UEに送信するための手段と、
前記UEのための前記接続再構成プロセスを円滑にするための手段と
を含む装置。
【請求項２７】
前記UEのための前記接続再構成プロセスを継続するために、接続再構成メッセージを送信するための手段
をさらに含む、請求項26に記載の装置。
【請求項２８】
前記接続再構成メッセージが、セル識別子、タイミングアドバンス情報、セル無線ネットワーク一時識別子(C-RNTI)、アップリンク割当てデータ、またはダウンリンク割当てデータのうちの少なくとも1つを含む、請求項27に記載の装置。
【請求項２９】
前記UEのための前記接続再構成プロセスを継続するために、接続再構成メッセージを送信するように第2のアクセスノードに指示するための手段
をさらに含む、請求項26に記載の装置。
【請求項３０】
前記UEのための前記接続再構成プロセスを円滑にするための前記手段が、前記接続再構成プロセスの開始、前記UEのためのモビリティ管理の提供、または前記UEへのページの送信のうちの少なくとも1つのために構成される、請求項26に記載の装置。
【請求項３１】
ワイヤレス通信のための装置であって、前記装置がユーザ機器(UE)であり、
メモリと、
前記メモリに結合された少なくとも1つのプロセッサとを含み、前記少なくとも1つのプロセッサが、
接続再構成プロセスを円滑にするために、ランダムアクセスプリアンブルおよびUE識別子を含む第1のメッセージを第1のアクセスノードに送信し、
前記第1のアクセスノードから、前記第1のメッセージに対する応答を受信し、
前記第1のメッセージに対する前記応答に基づいて前記接続再構成プロセスを維持する
ように構成される
装置。
【請求項３２】
前記少なくとも1つのプロセッサが、
第2のアクセスノードから接続再構成メッセージを受信する
ようにさらに構成される、請求項31に記載の装置。
【請求項３３】
前記接続再構成メッセージが、前記第2のアクセスノードに関連するセル識別子、タイミングアドバンス情報、セル無線ネットワーク一時識別子(C-RNTI)、アップリンク割当てデータ、またはダウンリンク割当てデータのうちの少なくとも1つを含む、請求項32に記載の装置。
【請求項３４】
前記少なくとも1つのプロセッサが、
前記第1のアクセスノードから、マスタ情報ブロック(MIB)および同期信号を受信し、
前記MIBに基づいて前記第1のメッセージを生成する
ようにさらに構成され、前記第1のメッセージが、前記同期信号に基づいて送信される
請求項31に記載の装置。
【請求項３５】
前記第1のメッセージに対する前記応答が、前記UE識別子または同期信号識別子のうちの1つによってシードされる基準信号を含む、請求項31に記載の装置。
【請求項３６】
前記第1のメッセージが、前記接続再構成プロセスを開始するためにバッファステータス報告をさらに含む、請求項31に記載の装置。
【請求項３７】
ワイヤレス通信のための装置であって、前記装置が第1のアクセスノードであり、
メモリと、
前記メモリに結合された少なくとも1つのプロセッサとを含み、前記少なくとも1つのプロセッサが、
ランダムアクセスプリアンブルとUE識別子とを含む第1のメッセージをユーザ機器(UE)から受信し、
接続再構成プロセスに関連して、前記第1のメッセージに対する応答を前記UEに送信し、
前記UEのための前記接続再構成プロセスを円滑にする
ように構成される
装置。
【請求項３８】
前記少なくとも1つのプロセッサが、前記UEのための前記接続再構成プロセスを継続するために、接続再構成メッセージを送信するようにさらに構成される、請求項37に記載の装置。
【請求項３９】
前記接続再構成メッセージが、セル識別子、タイミングアドバンス情報、セル無線ネットワーク一時識別子(C-RNTI)、アップリンク割当てデータ、またはダウンリンク割当てデータのうちの少なくとも1つを含む、請求項38に記載の装置。
【請求項４０】
前記少なくとも1つのプロセッサが、前記UEのための前記接続再構成プロセスを継続するために、接続再構成メッセージを送信するように、第2のアクセスノードに指示するようにさらに構成される、請求項37に記載の装置。
【請求項４１】
前記少なくとも1つのプロセッサが、前記接続再構成プロセスの開始、前記UEのためのモビリティ管理の提供、または前記UEへのページの送信のうちの少なくとも1つによって、前記UEのための前記接続再構成プロセスを円滑にするように構成される、請求項37に記載の装置。
【請求項４２】
ユーザ機器によるワイヤレス通信のためのコンピュータ実行可能コードを記憶するコンピュータ可読媒体であって、
接続再構成プロセスを円滑にするために、ランダムアクセスプリアンブルおよびUE識別子を含む第1のメッセージを第1のアクセスノードに送信し、
前記第1のアクセスノードから、前記第1のメッセージに対する応答を受信し、
前記第1のメッセージに対する前記応答に基づいて前記接続再構成プロセスを維持する
ためのコードを含む
コンピュータ可読媒体。
【請求項４３】
第1のアクセスノードによるワイヤレス通信のためのコンピュータ実行可能コードを記憶するコンピュータ可読媒体であって、
ランダムアクセスプリアンブルとUE識別子とを含む第1のメッセージをユーザ機器(UE)から受信し、
接続再構成プロセスに関連して、前記第1のメッセージに対する応答を前記UEに送信し、
前記UEのための前記接続再構成プロセスを円滑にする
ためのコードを含む
コンピュータ可読媒体。
【発明の詳細な説明】
【技術分野】
【０００１】
関連出願の相互参照
本出願は、その全体が参照により本明細書に明確に組み込まれる、2015年11月2日に出願された「Physical Layer Aspects of an Access Procedure」と題する米国仮出願第62/249,886号、2015年11月23日に出願された「Physical Layer Aspects of an Access Procedure」と題する米国仮出願第62/258,959号、および2016年7月6日に出願された「METHODS AND APPARATUSES FOR AN ACCESS PROCEDURE」と題する米国特許出願第15/203,412号の利益を主張するものである。
【０００２】
本開示は、全般に通信システムに関し、より詳細には、ワイヤレスネットワークにアクセスするためのアクセス手順に関する。
【背景技術】
【０００３】
ワイヤレス通信システムは、電話方式、ビデオ、データ、メッセージング、およびブロードキャストなどの様々な電気通信サービスを提供するために広く展開されている。通常のワイヤレス通信システムは、利用可能なシステムリソースを共有することによって複数のユーザとの通信をサポートすることが可能な多元接続技術を採用する場合がある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、異なるワイヤレスデバイスが地方自治体、国家、地域、さらにはグローバルレベルで通信することを可能にする共通プロトコルを提供するために、様々な電気通信規格において採用されている。例示的な電気通信規格はロングタームエボリューション(LTE)である。LTEは、第3世代パートナーシッププロジェクト(3GPP)によって公表されたユニバーサルモバイルテレコミュニケーションズシステム(UMTS)モバイル規格に対する拡張のセットである。LTEは、ダウンリンク上でOFDMAを使用し、アップリンク上でSC-FDMAを使用し、多入力多出力(MIMO)アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増大し続けるにつれて、LTE技術におけるさらなる改善が必要である。これらの改善はまた、他の多元接続技術、およびこれらの技術を採用する電気通信規格に適用可能であり得る。
【発明の概要】
【課題を解決するための手段】
【０００５】
以下で、1つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。この概要の唯一の目的は、後で提示するより詳細な説明の導入として、1つまたは複数の態様のいくつかの概念を簡略化された形で提示することである。
【０００６】
本明細書で説明する態様は、アクセスノード(たとえば、発展型ノードB、基地局、スモールセル基地局など)によって提供されるセルで動作するユーザ機器(UE)を対象とし得る。UEは、最初にUEがネットワークにアクセスしようとするときなど、アクセスノードとの通信のための専用リソースを最初のうちは有していない可能性がある。UEは、アクセスノードと通信するために専用リソースを必要とすることがある。したがって、UEは、専用リソースを獲得し、アクセスノードとの無線接続を確立するためのアクセス手順を実行し得る。
【０００７】
ワイヤレスシステムでは、ユーザ機器と基地局との間のデータ転送などのデータ転送を開始するために、アクセス手順が使用され得る。アクセス手順に関連して、タイミングおよび同期情報が取得され得る。アクセス手順は、複数の動作を必要とし得る。
【０００８】
様々な態様によれば、アクセスノードは、時間および粗周波数同期情報をUEに提供し得る。アクセスノードは、基本ネットワーク構成情報を含み得る1つまたは複数の情報ブロック(たとえば、マスタ情報ブロック)をさらに提供し得る。同期情報および/または情報ブロックに基づいて、UEは、たとえば、ランダムアクセスプリアンブル、UEの識別子、および/またはバッファステータス報告を含むメッセージをアクセスノードに送信し得る。UEからのメッセージに基づいて、アクセスノードは、UEがアクティブのままであるべきであると決定し、したがって、UEがアクティブのままであるべきであることを示す第1のメッセージに対する応答をUEに送信し得る。その後、UEは、接続セットアップメッセージまたは接続再構成メッセージを受信し得る。接続セットアップメッセージまたは再構成メッセージは、UEが同期情報および/または1つもしくは複数の情報ブロックを受信した同じアクセスノードまたは異なるアクセスノードから受信され得る。
【０００９】
本開示の一態様では、方法、コンピュータ可読媒体、および装置が提供される。装置は、第1のアクセスノードに第1のメッセージを送信するように構成され得る。第1のメッセージは、ランダムアクセスプリアンブルおよび/またはUE識別子を含み得る。第1のメッセージは、接続再構成のプロセスを円滑にし得る。装置は、第1のアクセスノードから第1のメッセージに対する応答を受信するようにさらに構成され得る。装置は、第1のメッセージに対する応答に基づいて接続セットアップまたは接続再構成のプロセスを維持するようにさらに構成されてもよい。
【００１０】
上述の目的および関連する目的を達成するために、1つまたは複数の態様は、以下で十分に説明され、特に特許請求の範囲で指摘される特徴を備える。以下の説明および添付の図面には、1つまたは複数の態様のいくつかの例示的な特徴が詳細に記載されている。しかしながら、これらの特徴は、様々な態様の原理が利用され得る様々な方法のほんのいくつかを示し、この説明は、すべてのそのような態様およびそれらの均等物を含むことを意図している。
【図面の簡単な説明】
【００１１】
【図１】ワイヤレス通信システムおよびアクセスネットワークの一例を示す図である。
【図２Ａ】DLフレーム構造のLTEの例を示す図である。
【図２Ｂ】DLフレーム構造内のDLチャネルのLTEの例を示す図である。
【図２Ｃ】ULフレーム構造のLTEの例を示す図である。
【図２Ｄ】ULフレーム構造内のULチャネルのLTEの例を示す図である。
【図３】アクセスネットワーク内の発展型ノードB(eNB)およびユーザ機器(UE)の一例を示す図である。
【図４】複数のアクセスノードとユーザ機器とを有する通信システムを示す図である。
【図５】図4に示すワイヤレス通信の方法に関するコールフローを示す図である。
【図６Ａ】接続再構成のプロセスを円滑にするためのサブフレームの図である。
【図６Ｂ】接続再構成のプロセスの継続を示すサブフレームの図である。
【図７Ａ】接続再構成プロセスを継続するべきかどうかの指示の図である。
【図７Ｂ】接続再構成のプロセスの円滑化を示すサブフレームの図である。
【図８】ワイヤレス通信の方法を示すフローチャートである。
【図９】ワイヤレス通信の方法を示すフローチャートである。
【図１０】例示的な装置中の異なる手段/構成要素間のデータフローを示す概念データフロー図である。
【図１１】処理システムを採用する装置のためのハードウェア実装形態の一例を示す図である。
【図１２】例示的な装置中の異なる手段/構成要素間のデータフローを示す概念データフロー図である。
【図１３】処理システムを採用する装置のためのハードウェア実装形態の一例を示す図である。
【発明を実施するための形態】
【００１２】
添付の図面に関して以下に記載される発明を実施するための形態は、様々な構成について説明するものであり、本明細書で説明する概念が実践され得る構成のみを表すものではない。詳細な説明は、様々な概念の完全な理解を与える目的で、具体的な細部を含む。しかしながら、当業者には、これらの概念が、これらの具体的な細部なしでも実践され得ることが明らかであろう。いくつかの例では、よく知られている構造および構成要素は、そのような概念を不明瞭にすることを避けるために、ブロック図の形で示される。
【００１３】
次に、様々な装置および方法を参照して、電気通信システムのいくつかの態様が提示される。これらの装置および方法について、以下の発明を実施するための形態において説明し、(「要素」と総称される)様々なブロック、構成要素、回路、プロセス、アルゴリズムなどによって添付の図面に示す。これらの要素は、電子ハードウェア、コンピュータソフトウェア、またはそれらの任意の組合せを使用して実装される場合がある。そのような要素がハードウェアとして実装されるか、またはソフトウェアとして実装されるかは、特定の適用例および全体的なシステムに課される設計制約に依存する。
【００１４】
例として、要素、または要素の任意の部分、または要素の任意の組合せは、1つまたは複数のプロセッサを含む「処理システム」として実装される場合がある。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、状態機械、ゲート論理、個別ハードウェア回路、および本開示全体にわたって記載される様々な機能を実施するように構成された他の適切なハードウェアが含まれる。処理システム内の1つまたは複数のプロセッサはソフトウェアを実行することができる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１５】
したがって、1つまたは複数の例示的な実施形態では、記載される機能は、ハードウェア、ソフトウェア、またはそれらの任意の組合せで実装される場合がある。ソフトウェアに実装される場合、機能は、コンピュータ可読媒体上に記憶されるか、またはコンピュータ可読媒体上に1つもしくは複数の命令もしくはコードとして符号化される場合がある。コンピュータ可読媒体はコンピュータ記憶媒体を含む。記憶媒体は、コンピュータによってアクセス可能な任意の利用可能な媒体であってもよい。限定ではなく例として、そのようなコンピュータ可読媒体は、ランダムアクセスメモリ(RAM)、読取り専用メモリ(ROM)、電気的消去可能プログラマブルROM(EEPROM(登録商標))、光ディスクストレージ、磁気ディスクストレージ、他の磁気ストレージデバイス、上述のタイプのコンピュータ可読媒体の組合せ、または、コンピュータによってアクセスされ得る命令もしくはデータ構造の形態のコンピュータ実行可能コードを記憶するために使用され得る任意の他の媒体を備えることができる。
【００１６】
図1は、ワイヤレス通信システムおよびアクセスネットワーク100の一例を示す図である。(ワイヤレスワイドエリアネットワーク(WWAN)とも呼ばれる)ワイヤレス通信システムは、基地局102と、UE104と、発展型パケットコア(EPC)160とを含む。基地局102は、マクロセル(高電力セルラー基地局)、スモールセル(低電力セルラー基地局)、および/または送信受信ポイント(TRP)を含む場合がある。マクロセル/TRPはeNBを含み得る。スモールセル/TRPは、フェムトセルと、ピコセルと、マイクロセルとを含む。様々な態様において、基地局102は、中央ユニット(CU)、アクセスノードコントローラ(ANC)、分散ユニット(DU)、エッジノード、エッジユニット、および/またはTRPを含み得る。たとえば、基地局102は、CUと、New Radio(NR)ノードBまたはNR NBであり得る1つまたは複数のDUとの組合せを含み得る。
【００１７】
(発展型ユニバーサルモバイルテレコミュニケーションズシステム(UMTS)地上波無線アクセスネットワーク(E-UTRAN)と総称される)基地局102は、バックホールリンク132(たとえば、S1インターフェース)を介してEPC160とインターフェースする。他の機能に加えて、基地局102は、以下の機能:ユーザデータの転送、無線チャネル暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信のうちの1つまたは複数を実施することができる。基地局102は、バックホールリンク134(たとえば、X2インターフェース)上で互いに直接的または(たとえば、EPC160を介して)間接的に通信することができる。バックホールリンク134は有線またはワイヤレスであり得る。
【００１８】
基地局102はUE104とワイヤレスに通信することができる。基地局102の各々は、それぞれの地理的カバレージエリア110に通信カバレージを提供することができる。重複する地理的カバレージエリア110が存在する場合がある。たとえば、スモールセル102'は、1つまたは複数のマクロ基地局102のカバレージエリア110と重複するカバレージエリア110'を有する場合がある。スモールセルとマクロセルの両方を含むネットワークは、異種ネットワークとして知られる場合がある。異種ネットワークは、限定加入者グループ(CSG)として知られる限定グループにサービスを提供することができるホーム発展型ノードB(eNB)(HeNB)を含む場合もある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含む場合がある。通信リンク120は、空間多重化、ビームフォーミング、および/または送信ダイバーシティを含む、MIMOアンテナ技術を使用することができる。通信リンクは、1つまたは複数のキャリアを介する場合がある。基地局102/UE104は、各方向における送信に使用される合計YxMHz(x個のコンポーネントキャリア)までのキャリアアグリゲーションにおいて割り振られた、キャリア当たりYMHz(たとえば、5、10、15、20MHz)までの帯域幅のスペクトルを使用することができる。キャリアは、互いに隣接する場合も、隣接しない場合もある。キャリアの割振りは、DLおよびULに対して非対称であり得る(たとえば、DLの場合、ULの場合よりも多いかまたは少ないキャリアが割り振られる場合がある)。コンポーネントキャリアは、1次コンポーネントキャリアと、1つまたは複数の2次コンポーネントキャリアとを含む場合がある。1次コンポーネントキャリアは1次セル(PCell)と呼ばれる場合があり、2次コンポーネントキャリアは2次セル(SCell)と呼ばれる場合がある。
【００１９】
ワイヤレス通信システムは、5GHz無認可周波数スペクトル内で通信リンク154を介してWi-Fi(登録商標)局(STA)152と通信しているWi-Fiアクセスポイント(AP)150をさらに含む場合がある。無認可周波数スペクトル内で通信するとき、STA152/AP150は、チャネルが利用可能であるかどうかを決定するために、通信するより前にクリアチャネルアセスメント(CCA)を実施することができる。
【００２０】
スモールセル102'は、認可および/または無認可の周波数スペクトル内で動作することができる。無認可周波数スペクトル内で動作しているとき、スモールセル102'は、LTEを採用し、Wi-Fi AP150によって使用されるのと同じ5GHz無認可周波数スペクトルを使用することができる。無認可周波数スペクトル内でLTEを採用するスモールセル102'は、アクセスネットワークへのカバレージをブーストし、および/またはアクセスネットワークの容量を増加させることができる。無認可スペクトルにおけるLTEは、LTE無認可(LTE-U)、認可支援アクセス(LAA)、またはMuLTEfireと呼ばれる場合がある。
【００２１】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンタ(BM-SC)170と、パケットデータネットワーク(PDN)ゲートウェイ172とを含む場合がある。MME162は、ホーム加入者サーバ(HSS)174と通信している場合がある。MME162は、UE104とEPC160との間のシグナリングを処理する制御ノードである。概して、MME162はベアラと接続管理とを提供する。すべてのユーザインターネットプロトコル(IP)パケットは、サービングゲートウェイ166を介して転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス(PSS)、および/または他のIPサービスを含む場合がある。BM-SC170は、MBMSユーザサービスのプロビジョニングおよび配信のための機能を提供することができる。BM-SC170は、コンテンツプロバイダMBMS送信のためのエントリポイントとして働く場合があり、公的地域モバイルネットワーク(PLMN)内のMBMSベアラサービスを認可および開始するために使用される場合があり、MBMS送信をスケジュールするために使用される場合がある。MBMSゲートウェイ168は、特定のサービスをブロードキャストするマルチキャストブロードキャスト単一周波数ネットワーク(MBSFN)エリアに属する基地局102にMBMSトラフィックを配信するために使用される場合があり、セッション管理(開始/停止)およびeMBMS関係の課金情報を収集することに関与する場合がある。
【００２２】
基地局は、ノードB、発展型ノードB(eNB)、アクセスポイント、トランシーバ基地局、無線基地局、無線トランシーバ、トランシーバ機能、基本サービスセット(BSS)、拡張サービスセット(ESS)、NRノードBもしくはNR NB、または他の何らかの適切な用語で呼ばれる場合もある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、データカード、USBモデム、または任意の他の同様の機能デバイスが含まれる。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。
【００２３】
再び図1を参照すると、いくつかの態様において、UE104は、接続再構成のプロセス198を維持するように構成され得る。様々な態様では、接続再構成のプロセス198は、接続セットアップのためのプロセスを含み得る。UE104は、メッセージに対する応答に基づいて接続再構成のプロセス198を維持するように構成されてもよく、メッセージは、ランダムアクセスプリアンブルおよびUE識別子(ID)を含み得る。
【００２４】
図2Aは、LTEにおけるDLフレーム構造の一例を示す図200である。図2Bは、LTEにおけるDLフレーム構造内のチャネルの一例を示す図230である。図2Cは、LTEにおけるULフレーム構造の一例を示す図250である。図2Dは、LTEにおけるULフレーム構造内のチャネルの一例を示す図280である。他のワイヤレス通信技術は、異なるフレーム構造および/または異なるチャネルを有する場合がある。LTEでは、フレーム(10ms)は、10個の等しいサイズのサブフレームに分割される場合がある。各サブフレームは、2つの連続するタイムスロットを含む場合がある。2つのタイムスロットを表すためにリソースグリッドが使用される場合があり、各タイムスロットは、1つまたは複数の(物理RB(PRB)とも呼ばれる)時間同時の(time concurrent)リソースブロック(RB)を含む。リソースグリッドは複数のリソース要素(RE)に分割される。LTEでは、ノーマルサイクリックプレフィックスの場合、RBは、合計84個のREについて、周波数領域内に12個の連続するサブキャリアを含んでおり、時間領域内に7つの連続するシンボル(DLの場合、OFDMシンボル、ULの場合、SC-FDMAシンボル)を含んでいる。拡張サイクリックプレフィックスの場合、RBは、合計72個のREについて、周波数領域内に12個の連続するサブキャリアを含んでおり、時間領域内に6個の連続するシンボルを含んでいる。各REによって搬送されるビット数は変調方式に依存する。
【００２５】
図2Aに示されたように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含む場合がある。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。図2Bは、フレームのDLサブフレーム内の様々なチャネルの一例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボル内に4つの連続するREを含む。UEは、DCIも搬送するUE固有拡張PDCCH(ePDCCH)で構成される場合がある。ePDCCHは、2つ、4つ、または8つのRBペアを有する場合がある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定ACK(NACK)フィードバックを示すHARQインジケータ(HI)を搬送する。1次同期チャネル(PSCH)は、フレームのサブフレーム0および5内のスロット0のシンボル6内にあり、サブフレームタイミングと物理レイヤ識別情報とを決定するためにUEによって使用される1次同期信号(PSS)を搬送する。2次同期チャネル(SSCH)は、フレームのサブフレーム0および5内のスロット0のシンボル5内にあり、物理レイヤセル識別情報グループ番号を
決定するためにUEによって使用される2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。物理ブロードキャストチャネル(PBCH)は、フレームのサブフレーム0のスロット1のシンボル0、1、2、3内にあり、マスタ情報ブロック(MIB)を搬送する。MIBは、DLシステム帯域幅内のRBの数と、PHICH構成と、システムフレーム番号(SFN)とを提供する。物理ダウンリンク共有チャネル(PDSCH)は、ユーザデータと、システム情報ブロック(SIB)などのPBCHを介して送信されないブロードキャストシステム情報と、ページングメッセージとを搬送する。
【００２６】
図2Cに示されたように、REのうちのいくつかは、eNBにおけるチャネル推定のための復調基準信号(DM-RS)を搬送する。UEは、サブフレームの最終シンボル内でサウンディング基準信号(SRS)をさらに送信する場合がある。SRSはコム構造を有する場合があり、UEは、コムのうちの1つの上でSRSを送信する場合がある。SRSは、eNBによって、UL上での周波数依存スケジューリングを可能にするために、チャネル品質推定のために使用され得る。図2Dは、フレームのULサブフレーム内の様々なチャネルの一例を示す。物理ランダムアクセスチャネル(PRACH)は、PRACH構成に基づいてフレーム内の1つまたは複数のサブフレーム内にあり得る。PRACHは、サブフレーム内に6つの連続するRBペアを含む場合がある。PRACHにより、UEが初期システムアクセスを実施し、UL同期を実現することが可能になる。物理アップリンク制御チャネル(PUCCH)は、ULシステム帯域幅のエッジ上に位置する場合がある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、パワーヘッドルーム報告(PHR)、および/またはUCIを搬送するためにさらに使用される場合がある。
【００２７】
図3は、アクセスネットワーク内でeNB310がUE350と通信しているブロック図である。様々な態様において、eNB310は、CU、ANC、DU、エッジノード、エッジユニット、および/またはTRPを含み得る。たとえば、eNB310は、CUと、NRノードBまたはNR NBであり得る1つまたは複数のDUとの組合せを含み得る。DLでは、EPC160からのIPパケットがコントローラ/プロセッサ375に供給される場合がある。コントローラ/プロセッサ375はレイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。様々な態様では、レイヤ2は、異なるプロトコル構成を含むことができ、たとえば、レイヤ2は、上位レイヤ2および下位レイヤ2を含み、ならびに/またはレイヤ2は、PDCPレイヤおよびMACレイヤを含み得る(およびRLCレイヤがない可能性がある)。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能と、ヘッダ圧縮/解凍、セキュリティ(暗号化、解読、完全性保護、完全性検証)、およびハンドオーバーサポート機能に関連するPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００２８】
送信(TX)プロセッサ316および受信(RX)プロセッサ370は、様々な信号処理機能に関連するレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含む場合がある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割される場合がある。各ストリームは、次いで、時間領域OFDMシンボルストリームを搬送する物理チャネルを生成するために、OFDMサブキャリアにマッピングされ、時間領域および/または周波数領域内で基準信号(たとえば、パイロット)と多重化され、次いで、逆高速フーリエ変換(IFFT)を使用して一緒に合成される場合がある。OFDMストリームは、複数の空間ストリームを生成するために空間的にプリコーディングされる。チャネル推定器374からのチャネル推定値は、コーディングおよび変調方式を決定するために、ならびに空間処理のために使用される場合がある。チャネル推定値は、UE350によって送信された参照信号および/またはチャネル状態フィードバックから導出され得る。各空間ストリームは、次いで、別個の送信機318TXを介して異なるアンテナ320に供給される場合がある。各送信機318TXは、送信用にそれぞれの空間ストリームでRFキャリアを変調することができる。
【００２９】
UE350において、各受信機354RXは、受信機のそれぞれのアンテナ352を通して信号を受信する。各受信機354RXは、RFキャリア上に変調された情報を復元し、その情報を受信(RX)プロセッサ356に供給する。TXプロセッサ368およびRXプロセッサ356は、様々な信号処理機能に関連するレイヤ1機能を実装する。RXプロセッサ356は、UE350に宛てられた任意の空間ストリームを復元するために、情報に対して空間処理を実施することができる。複数の空間ストリームがUE350に宛てられた場合、複数の空間ストリームは、RXプロセッサ356によって単一のOFDMシンボルストリームに合成される場合がある。次いで、RXプロセッサ356は、高速フーリエ変換(FFT)を使用して、OFDMAシンボルストリームを時間領域から周波数領域に変換する。周波数領域信号は、OFDM信号のサブキャリアごとに別々のOFDMシンボルストリームを備える。各サブキャリア上のシンボルおよび基準信号は、eNB310によって送信される、可能性が最も高い信号のコンスタレーションポイントを決定することによって復元および復調される。これらの軟決定は、チャネル推定器358によって算出されたチャネル推定値に基づく場合がある。軟判定は、次いで、物理チャネル上でeNB310によって最初に送信されたデータと制御信号とを復元するために復号およびデインターリーブされる。データおよび制御信号は、次いで、レイヤ3およびレイヤ2の機能を実装するコントローラ/プロセッサ359に供給される。
【００３０】
コントローラ/プロセッサ359は、プログラムコードとデータとを記憶するメモリ360と関連付けることができる。メモリ360は、コンピュータ可読媒体と呼ばれる場合がある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ359はまた、HARQ動作をサポートするために、ACKおよび/またはNACKプロトコルを使用する誤り検出に関与する。
【００３１】
eNB310によるDL送信に関して記載された機能と同様に、コントローラ/プロセッサ359は、システム情報(たとえば、MIB、SIB)収集、RRC接続、および測定報告に関連するRRCレイヤ機能と、ヘッダ圧縮/解凍およびセキュリティ(暗号化、解読、完全性保護、完全性検証)に関連するPDCPレイヤ機能と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００３２】
eNB310によって送信された基準信号またはフィードバックから、チャネル推定器358によって導出されたチャネル推定値は、適切なコーディングおよび変調方式を選択するとともに空間処理を容易にするために、TXプロセッサ368によって使用され得る。TXプロセッサ368によって生成された空間ストリームは、別々の送信機354TXを介して異なるアンテナ352に供給される場合がある。各送信機354TXは、送信のためにそれぞれの空間ストリームでRFキャリアを変調することができる。
【００３３】
UL送信は、UE350における受信機機能に関して記載された方式と同様の方式で、eNB310において処理される。各受信機318RXは、受信機のそれぞれのアンテナ320を介して信号を受信する。各受信機318RXは、RFキャリア上に変調された情報を復元し、その情報をRXプロセッサ370に供給する。
【００３４】
コントローラ/プロセッサ375は、プログラムコードとデータとを記憶するメモリ376と関連付けることができる。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ375からのIPパケットは、EPC160に供給される場合がある。コントローラ/プロセッサ375はまた、ACKおよび/またはNACKプロトコルを使用してHARQ動作をサポートする誤り検出に関与する。
【００３５】
図4は、様々な態様による、複数のアクセスノード402a、402b、404、および1つまたは複数のアクセスノードと通信するUE406を有する通信システム400を示す図である。図1のコンテキストでは、UE406は、UE104の一態様であり得、アクセスノード402a、402b、404は、基地局102/102'の態様であり得る。
【００３６】
各アクセスノード402a、402b、404は、UE406が動作し得るそれぞれのセル410a、410b、412を提供するように構成され得る。様々な態様では、1つまたは複数のアクセスノード402a、402bは、マクロ基地局(たとえば、マクロノードB、eノードBなど)として構成され得る。一態様では、アクセスノード404など1つのアクセスノードは、スモールセル基地局(たとえば、フェムトセル、ピコセルなど)であってもよく、別のアクセスノード402aのセル410aに少なくとも部分的に配置され得る。したがって、第1のアクセスノード402aは、たとえば、キャリアアグリゲーション、オフローディングなどのために、第2のアクセスノード404と協調し得る。別の態様では、第1のアクセスノード402aおよび第2のアクセスノード404は、同じアクセスノードであってもよい。
【００３７】
一態様では、第1のアクセスノード402aおよび第3のアクセスノード402bは、バックホールおよび/またはX2インターフェースを介してなど、通信することができる。第1のアクセスノード402aおよび第3のアクセスノード402bは、複数のアクセスノードからなるゾーン414に含まれ得る。ゾーン414内のアクセスノード402a、402bは、たとえばゾーンIDなど、ゾーン414内のアクセスノード402a、402bに知られている共通の識別子(ID)を共有し得る。一態様では、第2のアクセスノード404は、ゾーン414に含まれてもよく、ゾーンIDを知っていてもよい。
【００３８】
態様では、第1のアクセスノード402aは、UE406が動作し得るセル410aを提供することができる。第1のアクセスノード402aおよびUE406は、DL/ULスペクトルを使用してともに通信し得る。同様に、第2のアクセスノード404は、UE406が動作し得るセル412(たとえば、スモールセル)を提供し、第2のアクセスノード404およびUE406は、DL/ULスペクトルを使用してともに通信し得る。しかしながら、UE406は、最初に、1つまたは複数のアクセスノード402a、404との通信のための専用リソースを有していない可能性がある。したがって、UE406は、通信のための専用リソースを有する無線接続を確立し得る。
【００３９】
一態様では、たとえば、UE406が電源投入されているときなど、UE406がRRCアイドルモードであり得るなど、UE406は、ネットワーク(たとえば、アクセスノード402a、402b、404に接続されたネットワーク)との接続を有していない可能性がある。UE406は、たとえば、UE406が電源投入された後にUE406が初めてネットワークにアクセスしようとするときに、ネットワークとのRRC接続をセットアップするために接続再構成を実行し得る。
【００４０】
一態様では、たとえば、UE406がネットワークとのRRC接続モードであり得るなど、たとえばUE406のMAC層において、UE406は、ネットワーク(たとえば、アクセスノード402a、402b、404に接続されたネットワーク)との接続を有している可能性がある。しかしながら、UE406は、たとえば、UE406が1つまたは複数のアクセスノード402a、404との通信のために専用無線リソースを割り振られるRRC専用状態に移行するために、接続再構成を必要とし得る。
【００４１】
たとえば、通信システム400のコンテキストでは、ネットワークは、RRC専用またはRRC共通状態でUE406コンテキストを維持し得る。したがって、アクセスノード402a、402bが接続されるコアネットワークは、接続状態の場合のようにUE406を見る可能性があるが、UE406がアクセスノード402a、402bによってスケジューリングされるまで、UE406は専用リソースが割り当てられない可能性がある。たとえば、UE406は、UE406の識別子(たとえば、S-TMSI)のみがアクセスノード402a、402bによって維持され、比較的少量のデータがUEに送信され得る、および/またはUE406から受信され得るRRC共通状態であり得る。接続再構成は、UE406をRRC共通状態からRRC専用状態に移行させるために実行され得る。RRC専用状態では、UE406は、少なくとも1つのアクセスノード402a、402bによって専用リソースが割り当てられ得る。
【００４２】
一態様では、第1のアクセスノード402aは、UEがネットワークとの接続を確立できるように、第1のセル410aにおいてデータを送信(たとえば、ブロードキャスト)し得る。たとえば、第1のアクセスノード402aは、1つまたは複数の同期信号(たとえば、1次同期信号(PSS)、2次同期信号(SSS)など)、1つまたは複数の情報ブロック(たとえば、マスタ情報ブロック(MIB)、および/または1つもしくは複数のシステム情報ブロック(SIB))を送信し得る。
【００４３】
態様によれば、UE406は、第1のアクセスノード402aから1つまたは複数の情報ブロック420および1つまたは複数の同期信号422を受信し得る。UE406が接続モードではないとき(たとえば、UE406が電源投入されているとき、UE406がアイドルモードであるときなど)、UE406は、情報ブロック420および同期信号422を受信し得る。態様では、UE406は、UE406が第1のアクセスノード402aに接続し、情報ブロック420に基づいてセル410a内で動作することを決定し得る。
【００４４】
一態様では、情報ブロック420は、1つまたは複数のSIBを含み得る。UE406は、1つまたは複数のSIBに含まれる情報に基づいてランダムアクセスプリアンブルを決定し得る。一態様では、情報ブロック420はMIBを含み得る。UE406は、MIBに基づいてネットワーク構成に関連する1つまたは複数のパラメータを決定し得る。たとえば、UE406は、MIBに基づいて、システム帯域幅(たとえば、ダウンリンク帯域幅)、システムフレーム番号(SFN)、および/または1つもしくは複数のチャネル構成(たとえば、物理ハイブリッドARQインジケータチャネル(PHICH)構成)を決定し得る。
【００４５】
一態様では、UE406は、接続再構成プロセスを円滑にするために、第1のメッセージ424を送信し得る。様々な態様では、UE406の接続再構成の円滑化は、接続再構成プロセスの開始、UE406のためのモビリティ管理の提供、および/またはUE406のページングのうちの少なくとも1つを含む。第1のメッセージ424は、少なくともUE406のID(たとえば、一時モバイル加入者識別情報(TMSI)またはランダム値)、およびランダムアクセスプリアンブル(たとえば、SIBから決定されたランダムアクセスプリアンブル)を含み得る。一態様では、第1のメッセージ424は、バッファステータス報告(BSR)を含み得る。一態様では、UE406は、第1のメッセージ424を生成し得る。一態様では、第1のメッセージ424は、ランダムアクセスチャネル(RACH)シーケンスなどによってスクランブルされ得る。
【００４６】
一態様では、第1のメッセージ424は、測定情報を含まない可能性がある。たとえば、第1のメッセージ424は、測定報告を含まない可能性がある。一態様では、UE406は、セル410a、412に関連する測定を実行しない、および/または接続再構成プロセスに関連して第1のメッセージ424で測定値を送信しない可能性がある。一態様では、UE406は、現在転送中のデータに関連して第1のメッセージ424を送信しない可能性があり、たとえば、UE406は、第1のメッセージ424が送信されるとき(たとえば、UE406は、第1のメッセージ424の送信に先立って任意のセルによって専用リソースが割り当てられない場合がある)、セル内で動作していない可能性がある。
【００４７】
UE406は、第1のアクセスノード402aとタイミング整合されていなくても、第1のアクセスノード402aに送信し得るように、同期信号422から、粗周波数情報および/またはタイミング情報を決定し得る。したがって、UE406は、同期信号422に基づいて第1のメッセージ424を送信することができる。
【００４８】
第1のメッセージ424に基づいて、第1のアクセスノード402aは、接続再構成プロセスを円滑にし得る。様々な態様では、接続再構成プロセスの円滑化は、接続再構成プロセスの開始、UE406のためのモビリティ管理の提供、および/またはUE406へのページの送信を含み得る。一態様では、第1のアクセスノード402aは、UE406が接続再構成情報を受信し得るように、UE406がアクティブ状態のままである(たとえば、UE406がその間に情報を受信し得る高電力状態のままである)べきかどうかを決定し得る。たとえば、第1のアクセスノード402aは、第1のメッセージ424に含まれるBSRが、UE406が送信するべきデータを有することを示すとき、UE406がアクティブのままであるべきであると決定し得る。別の例では、第1のアクセスノード402aは、UE406に送信するべきダウンリンク情報があると第1のアクセスノード402aが決定したとき、UE406がアクティブのままであるべきであると決定し得る。
【００４９】
UE406がアクティブのままであるべきかどうかの決定に基づいて、第1のアクセスノード402aは、応答426を第1のメッセージ424に送信し得る。応答は、接続再構成のプロセスを継続するために、UE406がアクティブのままであるべきかどうかをUE406に示し得る。
【００５０】
一態様では、応答426は、UE406によって実行される測定に基づいていない。たとえば、第1のメッセージ424は、UE406によって実行される、1つまたは複数のセル410a、412についての測定に関連するいかなる情報または報告も含まない可能性がある。したがって、第1のアクセスノード402aは、UE406によって実行される測定に基づいて第1のメッセージ424に応答しない。
【００５１】
態様では、第1のアクセスノード402aが、UE406がアクティブであるべきではないと決定した場合(たとえば、第1のメッセージ424に含まれるBSRが空であるとき、UE406に送信されるべきダウンリンクデータがないときなど)、第1のアクセスノードは、接続再構成プロセスが継続しないことをUE406に示すために、ゼロに設定された(またはFalseに設定された)ビットを含む応答をUE406に送信し得る。したがって、UE406は、低電力状態(たとえば、不連続受信サイクル(DRX))に移行し得る(またはそのままであり得る)。代替的に、第1のアクセスノード402aが、UE406がアクティブのままであるべきと決定した場合(たとえば、第1のメッセージ424に含まれるBSRが空でないとき、UE406に送信されるべきダウンリンクデータがあるときなど)、第1のアクセスノードは、接続再構成プロセスが継続することをUE406に示すために、1に設定された(またはTrueに設定された)ビットを含む応答をUE406に送信し得る。したがって、UE406は、高電力状態に移行し得る(またはそのままであり得る)。したがって、UE406は、接続再構成プロセスの継続に先立って接続再構成メッセージを待ち得る。たとえば、UE406は、UE406の受信機(および/または受信チェーン)を高電力状態に移行させる、または高電力状態のままにすることによって、接続再構成メッセージを待ち得る。
【００５２】
様々な態様では、応答426は、基準信号を含み得る。一態様によれば、基準信号は、第1のメッセージ424からのUE IDによってシードされ得る。たとえば、相反性を有する時分割複信(TDD)ワイヤレス通信システムでは、第1のアクセスノード402aは、応答426に含まれる基準信号をUE406のIDでシードし得る。別の態様では、基準信号は、ゾーン414のIDまたは別の同期信号IDによってシードされてもよい。たとえば、FDDワイヤレス通信システムでは、第1のアクセスノード402aは、応答426に含まれる基準信号を、ゾーン414のIDまたは第1のアクセスノード402aによって送信された同期信号のIDでシードし得る。
【００５３】
態様によれば、第1のアクセスノード402aは、基準信号がUE IDによってシードされるか、ゾーンによってシードされるか、同期信号IDによってシードされるかをUE406に示し得る。たとえば、第1のアクセスノード402aは、基準信号が情報ブロック420のMIBにどのようにシードされるかの指示を含み得る。したがって、UE406は、情報ブロック420に基づいて、応答426に含まれる基準信号がどのようにシードされるかを決定し得る。
【００５４】
態様では、第1のアクセスノード402aは、UE406の接続再構成プロセスを継続することができる。一態様では、第1のアクセスノード402aは、別のアクセスノードがUE406の接続再構成プロセスを継続するべきであることを決定し得る。したがって、第1のアクセスノード402aは、第2のアクセスノード404に命令427を送信し得る。命令427に応答して、第2のアクセスノード404は、接続再構成メッセージ428をUE406に送信し得る。一態様では、第1のアクセスノード402aおよび第2のアクセスノード404は、同じアクセスノードであってもよい。そのような態様では、第1のアクセスノード402aは、接続再構成メッセージ428をUE406に送信し得る。
【００５５】
接続再構成メッセージ428は、セルID、タイミングアドバンス情報、セル無線ネットワーク一時識別子(C-RNTI)、アップリンク割当てデータ、および/またはダウンリンク割当てデータのうちの少なくとも1つを含み得る。接続再構成メッセージ428に基づいて、UE406は、たとえばアップリンクおよびダウンリンク通信が同期される、タイミング整合される、識別可能である、などのように、1つまたは複数のアクセスノード402aおよび404(たとえば、UE406がRRC専用状態であり得る)、第1のアクセスノード402aおよび/または第2のアクセスノード404に関連付けられた専用リソースを決定し得る。たとえば、UE406は、接続再構成メッセージ428に含まれるセルIDを使用して、物理ダウンリンク制御チャネル(PDCCH)および/または物理ダウンリンク共有チャネル(PDSCH)をデスクランブルし得る。一態様では、接続再構成メッセージ428は、第1のメッセージ424におけるランダムアクセスプリアンブルの送信に基づいてUE406に競合解決を示し得る。
【００５６】
図5は、様々な態様による、図4に示すワイヤレス通信の方法に関するコールフロー500の図である。図5は、UE506および少なくとも1つのアクセスノード502を含む。一態様では、UE506はUE406に対応し、アクセスノード502は図4の第1のアクセスノード402aおよび第2のアクセスノード404に対応する(たとえば、第1のアクセスノード402aおよび第2のアクセスノード404は同じアクセスノードである)。
【００５７】
参照番号510によって示されるように、アクセスノード502は、少なくとも同期信号およびMIBをUE506に送信し得る。アクセスノード502は、同期信号およびMIBをブロードキャストし得る。少なくとも同期信号およびMIBに基づいて、UE506は、参照番号520によって示されるように、第1のメッセージをアクセスノード502に送信し得る。態様では、第1のメッセージは、ランダムアクセスプリアンブル、UE506のID、およびUE506のBSRを含み得る。
【００５８】
参照番号530によって示されるように、アクセスノード502は、第1のメッセージに1ビット応答メッセージを送信し得る。一態様では、1ビット応答メッセージは、UE506が送信するべきアップリンクデータを有していないことをBSRが示す場合、および/または、アクセスノード502がUE506に送信するべきダウンリンクデータを有していない場合など、接続再構成プロセスが継続するべきではないことをUE506に示す「0」値(または別の適切な値)を有し得る。そのような状況では、UE506は、UE506の受信機を低電力状態に移行させ得る(または、受信機が低電力状態のままであるようにし得る)。
【００５９】
一態様では、1ビット応答メッセージは、UE506が送信するべきアップリンクデータを有していることをBSRが示す場合、および/または、アクセスノード502がUE506に送信するべきダウンリンクデータを有している場合など、接続再構成プロセスが継続するべきであることをUE506に示す「1」値(または別の適切な値)を有し得る。UE506は、UE506の受信機を高電力状態に移行させ得る(または、受信機が高電力状態のままであるようにし得る)。
【００６０】
接続再構成プロセスが継続するべきであることをUE506に示すことに関連して、アクセスノード502は、参照番号540によって示されるように、接続再構成プロセスを円滑にし得る。たとえば、アクセスノード502は、UE506との通信のためのリソースをスケジュールし、および/またはUE506のためのリソースを提供するべき別のアクセスノードを決定し得る。
【００６１】
参照番号550によって示されるように、UE506は、接続再構成プロセスが継続するべきであることを示す第1のメッセージに対する応答を受信することに基づいて、接続再構成プロセスを維持し得る。一態様では、UE506は、接続再構成メッセージを待ち得る。たとえば、UE506は、接続再構成メッセージを受信するために、UE506の受信機を高電力状態のままにし得る、または、UE506は、受信機を高電力状態に移行させ得る。
【００６２】
参照番号560によって示されるように、アクセスノード502は、接続再構成プロセスが継続するべきであることをUEに示した後、接続再構成メッセージをUE506に送信し得る。一態様では、接続再構成メッセージは、UE506に競合解決を示し得る。一態様では、接続再構成メッセージは、セルID、タイミングアドバンス情報、C-RNTI、アップリンク割当てデータ、および/またはダウンリンク割当てデータのうちの1つまたは複数を含み得る。接続再構成メッセージに基づいて、UE506は、たとえば専用リソース(C-RNTIなど)を使用して、アクセスノード502と接続し得る。たとえば、UE506は、アクセスノード502に関するRRC専用モードであり得る(たとえば、アクセスノード502がUE506に専用リソースを割り振っている可能性がある)。
【００６３】
図5は、コールフロー図500の例示的な動作を示しているが、いくつかの態様では、コールフロー図500は、図5に示されたものに比べて追加の動作、少ない動作、異なる動作、異なるように配列された動作を含んでいてもよい。追加または代替として、コールフロー図500の動作の2つ以上が同時に実行されてもよい。
【００６４】
図6Aは、様々な態様による接続再構成プロセスを円滑にするためのサブフレーム600を示す。一態様では、サブフレーム600は特殊サブフレームであり得る。一態様では、特殊サブフレーム600は、第1の部分602(たとえば、第1のスロット)および第2の部分606(たとえば、第2のスロット)を含み得る。第1の部分602および第2の部分606は、たとえば、デバイス(たとえば、UE、アクセスノードなど)が受信機と送信機との間で切り替わる(たとえば、受信モードと送信モードとの間で切り替わる)ことを可能にするために、ガード期間604によって分離され得る。サブフレーム600は、TDDシステムにおいて利用され得るが、本開示は、TDDシステムに限定されない(たとえば、本開示は、周波数分割複信(FDD)システムにおいて実施され得る)。
【００６５】
一態様では、第1の部分602は、ダウンリンク送信のために割り振られ得る。同期信号は、たとえば、アクセスノードに接続されていないUEに時間情報および粗周波数情報を提供するために、第1の部分602において送信され得る。一態様では、第1の部分602に含まれる同期信号は、図4に示す同期信号422の一態様であり得る。したがって、第1のアクセスノード402aは、第1の部分602内の同期信号を送信し得る。
【００６６】
一態様では、第2の部分606は、アップリンク送信のために割り振られ得る。第1のメッセージ608は、たとえば、ランダムアクセスプリアンブル、UE ID、および/またはBSRを提供するために、第2の部分606において送信され得る。一態様では、第1のメッセージ608は、サブフレーム600の全帯域幅にまたがっていなくてもよい。一態様では、第2の部分606に含まれる第1のメッセージ608は、図4に示す第1のメッセージ424の一態様であり得る。したがって、UE406は、第2の部分606において第1のメッセージ608を第1のアクセスノード402aに送信し得る。
【００６７】
図6Bを参照すると、様々な態様による接続再構成のプロセスの継続を示すためのサブフレーム620が示されている。一態様では、サブフレーム620は、ダウンリンク中心のサブフレーム(たとえば、ダウンリンク通信に関連するサブフレーム)であり得る。一態様では、サブフレーム620は、たとえば、デバイス(たとえば、UE)が受信機と送信機との間で切り替わることを可能にするために、第1の部分622(たとえば、第1のスロット)およびガード期間626を含み得る。
【００６８】
一態様では、第1の部分622は、ダウンリンク送信のために割り振られ得る。接続再構成プロセスが継続するべきかどうかの指示624は、第1の部分622に含まれ得る。指示624は、(たとえば、第1のメッセージ608に応答して)UEからのメッセージに応答し得る。一態様では、指示624は、1ビットであり得る。たとえば、指示624は、アップリンクデータが送信されないことを第1のメッセージ608のBSRが示す場合、および/または送信されるべきダウンリンクデータがない場合など、接続再構成プロセスが継続するべきではないことを示す「0」ビットであり得る。別の例では、指示624は、アップリンクデータが送信されることを第1のメッセージ608のBSRが示す場合、および/または送信されるべきダウンリンクデータがある場合など、接続再構成プロセスが継続するべきであることを示す「1」ビットであり得る。一態様では、第1の部分622に含まれる指示624は、図4に示される応答426の一態様であり得る。したがって、第1のアクセスノード402aは、第1の部分622内の指示624をUE406に送信し得る。
【００６９】
図7Aは、様々な態様による、接続再構成プロセスを継続するべきかどうかの指示を示す。態様では、ダウンリンクサブフレーム740は、第1の部分742(たとえば、1つまたは複数のスロット)を含み得る。第1の部分742は、接続再構成を継続するべきかどうかの指示744を含み得る。たとえば、指示744は、図6Bに示す指示624の一態様であり得る。様々な態様では、指示744は、たとえば「1」ビットまたは「0」ビットなど、接続再構成プロセスを継続するべきかどうかを示す1ビットを含み得る。一態様では、含まれる指示744は、図4に示される応答426の一態様であり得る。したがって、第1のアクセスノード402aは、ダウンリンクサブフレーム740の第1の部分742内の指示744をUE406に送信し得る。
【００７０】
態様では、指示744は、基準信号746をさらに含み得る。一態様では、基準信号746は、UEのIDでシードされ得る。たとえば、相反性を有するTDDシステムでは、基準信号746は、UEのIDでシードされ得る。他の態様では、基準信号746は、同期信号IDまたはゾーンIDでシードされ得る。たとえば、相反性のないFDDシステムおよび/またはTDDシステムでは、基準信号746は、同期信号IDまたはゾーンIDでシードされ得る。しかしながら、いくつかのFDDシステムでは、基準信号746は、UEのIDでシードされ得る。
【００７１】
図7Bを参照すると、接続再構成プロセスの円滑化を示すために、様々な態様によるサブフレーム760が示されている。一態様では、サブフレーム760はアップリンク中心のサブフレームであり得る。一態様では、サブフレーム760は、複数のシンボル764、766(たとえば、OFDMシンボル)を含み得る。シンボル764、766は、複数のサイクリックプレフィックス762によって分離され得る。各サイクリックプレフィックス762は、サイクリックプレフィックス762に続く特定のシンボル764、766の一部を繰り返し得る。様々な態様では、サイクリックプレフィックス762は、UEがアクセスノードとのタイミング整合を取得したとき、またはUEが粗いタイミング整合のみを取得したときに使用されるサイクリックプレフィックスよりも長い持続時間のものであり得る。より長いサイクリックプレフィックス762は、タイミング整合が取得されていないとき、または粗いタイミング整合のみが取得されたときのラウンドトリップ時間遅延に対応し得る。
【００７２】
様々な態様では、サブフレーム760に含まれる少なくとも1つのシンボル766を使用して、RACHシーケンスを含むランダムアクセスプリアンブルを搬送し得る。サブフレーム760で搬送される他のシンボル764は、UE IDおよび/またはBSRなど他の情報を搬送し得る。シンボル764、766は、RACHシーケンスに基づくIDによってスクランブルされ得る。
【００７３】
サブフレーム760の後には、ギャップ768が続き得る。サブフレーム760で送信しているUEとサブフレーム760で受信しているアクセスノードとの間でタイミング整合が取得されていない(または粗いタイミング整合のみが取得されている)ので、ギャップ768が含まれ得る。
【００７４】
一態様では、シンボル764、766は、第1のメッセージを搬送し得る。したがって、シンボル764、766は、図4に示す第1のメッセージ424の一態様であり得る。したがって、UE406は、サブフレーム760内のシンボル764、766として第1のメッセージ424を第1のアクセスノード402aに送信し得る。
【００７５】
次に、図8を参照すると、フローチャートは、本開示の様々な態様による、UEの接続再構成のプロセスを円滑にする方法800を示す。方法800は、図4のUE406などのUEによって実行され得る。
【００７６】
図8には、様々な動作がオプションとして示されている(たとえば、点線によって示されている)。しかしながら、本開示は、方法800の1つまたは複数の動作はオプションであり、省略され、および/または様々な態様に従って代替的に実行される動作を企図する。さらに、方法800の1つまたは複数の動作は、転置されてもよく、および/または同時に実行されてもよい。
【００７７】
動作802から開始して、UEは、MIBおよび同期信号を受信し得る。UEは、第1のアクセスノード(たとえば、eNB)からMIBおよび同期信号を受信し得る。図4のコンテキストでは、UE406は、第1のアクセスノード402aから情報ブロック420および同期信号422を受信し得る。
【００７８】
動作804において、UEは、接続再構成プロセスを円滑にするための第1のメッセージを生成し得る。たとえば、UEが最初に電源投入されたとき、またはUEがアイドルモード(RRCアイドルモード)であり、ネットワークへの接続を試みたとき(たとえば、RRC専用状態など別の状態に移行しようと試みたとき)。様々な態様では、第1のメッセージは、少なくともランダムアクセスプリアンブル(たとえば、少なくとも1つの情報ブロック内の情報に基づいてUEによって生成されたランダムアクセスプリアンブル)およびUEのIDを含み得る。図4のコンテキストでは、UE406は、第1のアクセスノード402aから受信された情報ブロック420に基づいて、第1のメッセージ424を生成し得る。
【００７９】
動作806に進むと、UEは、第1のメッセージを第1のアクセスノードに送信し得る。図4のコンテキストでは、UE406は、第1のメッセージ424を第1のアクセスノード402aに送信し得る。
【００８０】
動作808において、UEは、アクセスノードから第1のメッセージに対する応答を受信し得る。態様では、応答はビット値を含み得る。一態様では、応答は基準信号を含み得る。図4のコンテキストでは、UE406は、第1のアクセスノード402aから応答426を受信し得る。
【００８１】
決定ブロック810において、UEは、接続再構成プロセスが継続するべきであることを応答が示しているかどうかを決定し得る。たとえば、応答は、接続再構成プロセスが継続するべきではないことを示す「0」ビット、または接続再構成プロセスが継続するべきであることを示す「1」ビットを含み得る。接続再構成プロセスが継続するべきではないことを応答が示すことをUEが決定した場合、方法800は、動作816に進み得る。動作816において、UEは、UEの受信機を低電力状態に移行させ得る。図4のコンテキストでは、UE406は、接続再構成プロセスが継続するべきではないことを応答426が示す場合、UE406の受信機を低電力状態に移行させ得る。
【００８２】
接続再構成プロセスが継続するべきであることを応答が示すことをUEが決定した場合、方法800は、動作812に進み得る。動作812において、UEは、接続再構成プロセスを維持し得る。たとえば、UEは、接続再構成メッセージを受信するために、UEの受信機を高電力状態に移行させることによって、または高電力状態にすることによって、接続再構成メッセージを待ち得る。図4のコンテキストでは、UE406は、たとえば、接続再構成メッセージ428を受信するために、UE406の受信機を高電力状態にすることによって、接続再構成メッセージ428を待ち得る。
【００８３】
動作814において、UEは、第2のアクセスノードから接続再構成メッセージを受信し得る。接続再構成メッセージは、第2のアクセスノードに関連するセル識別子、タイミングアドバンス情報、C-RNTI、アップリンク割当てデータ、および/またはダウンリンク割当てデータのうちの少なくとも1つを含み得る。接続再構成メッセージから、UEは、第2のアクセスノードがUEの専用リソースをスケジュールする場合など、第2のアクセスノード(たとえば、RRC専用状態)との接続モードで動作し得る。図4のコンテキストでは、UE406は、第2のアクセスノード404から接続再構成メッセージ428を受信し得る。
【００８４】
いくつかの態様では、第1のアクセスノードおよび第2のアクセスノードは同じアクセスノードである。したがって、UEは、第1のメッセージに対する応答を提供した同じアクセスノードとの接続モードで動作し得る。図4のコンテキストでは、第1のアクセスノード402aと第2のアクセスノード404とは、同じアクセスノードであり得る。
【００８５】
図8は、本開示の様々な態様による、UEの接続再構成プロセスを継続するための方法900のフローチャートである。方法900は、図4の第1のアクセスノード402aなどのアクセスノード(たとえば、eノードB)によって実行され得る。
【００８６】
図8には、様々な動作がオプションとして示されている(たとえば、点線によって示されている)。しかしながら、本開示は、方法900の1つまたは複数の動作はオプションであり、省略され、および/または様々な態様に従って代替的に実行される動作を企図する。さらに、方法900の1つまたは複数の動作は、転置されてもよく、および/または同時に実行されてもよい。
【００８７】
動作902から開始して、アクセスノードは、少なくともMIBおよび同期信号を送信し得る。アクセスノードは、MIBおよび同期信号をブロードキャストし得る。いくつかの態様では、アクセスノードは、1つまたは複数の追加の情報ブロック(たとえば、SIB)をさらに送信し得る。図4のコンテキストでは、第1のアクセスノード402aは、情報ブロック420および同期信号422を送信し得る。
【００８８】
動作904において、アクセスノードは、UEから第1のメッセージを受信し得る。第1のメッセージは、UEが接続再構成プロセスを円滑にしようと試みることをアクセスノードに示し得る。様々な態様では、第1のメッセージは、少なくともランダムアクセスプリアンブルおよびUEのIDを含み得る。図4のコンテキストでは、第1のアクセスノード402aは、UE406から第1のメッセージ424を受信し得る。
【００８９】
動作906に進むと、アクセスノードは、第1のメッセージに対する応答をUEに送信し得る。応答は、UEの接続再構成プロセスが継続されるべきかどうかを示し得る。たとえば、UEのためのダウンリンクデータが存在しない場合、および/または第1のメッセージの中のBSRが空である場合、アクセスノードは、接続再構成プロセスが継続するべきではないと決定し得る。しかしながら、第1のメッセージの中のBSRが空でない場合、および/またはUEのためのダウンリンクデータがある場合、接続再構成プロセスは継続し得る。
【００９０】
応答は、接続再構成のプロセスを継続するべきかどうかを示す値を含み得る。たとえば、接続再構成プロセスが継続するべきであることを示す「1」ビット、および接続再構成プロセスが継続するべきではないことを示す「0」ビット。態様では、応答は基準信号を含み得る。図4のコンテキストでは、第1のアクセスノードは、応答426をUE406に送信し得る。
【００９１】
動作908において、アクセスノードは、UEの接続再構成プロセスを円滑にし得る。たとえば、アクセスノードは、UEとの通信のためのリソースをスケジュールし、および/またはUEのためのリソースを提供するべき別のアクセスノードを決定し得る(たとえば、接続再構成のプロセスの開始に関連して)。別の態様では、アクセスノードは、UEのモビリティ管理を提供することによって、UEの接続再構成プロセスを円滑にし得る。別の態様では、アクセスノードは、(たとえば、UEのためのダウンリンクデータがあるとき)UEをページングすることによって、接続再構成プロセスを円滑にし得る。図4のコンテキストでは、第1のアクセスノード402aは、UE406の接続再構成プロセスを円滑にし得る。
【００９２】
接続再構成プロセスの円滑化に関連して、アクセスノードは、決定ブロック910に示すように、アクセスノードまたは別のアクセスノードが接続を提供するべきかどうかを決定し得る。アクセスノードが接続を提供するべきである場合、方法900は動作912に進むことができる。動作912において、アクセスノードは、接続再構成メッセージをUEに送信し得る。接続再構成メッセージは、アクセスノードに関連するセル識別子、タイミングアドバンス情報、C-RNTI、アップリンク割当てデータ、および/またはダウンリンク割当てデータのうちの少なくとも1つを含み得る。図4のコンテキストでは、第1のアクセスノード402aは、接続再構成メッセージ428をUE406に送信し得る。
【００９３】
別のアクセスノードが接続を提供するべきである場合、方法900は動作914に進むことができる。動作914において、アクセスノードは、UEのための接続再構成のプロセスを継続するために、接続再構成メッセージをUEに送信するように他のアクセスノードに指示し得る。図4のコンテキストでは、第1のアクセスノード402aは、命令427を第2のアクセスノード404に送信し得る。
【００９４】
図10は、例示的な装置1002内の様々な手段/構成要素間のデータフローを示す概念データフロー図1000である。装置1002はUEであり得る。たとえば、装置1002は、図4のUE406であり得る。
【００９５】
装置1002は、受信構成要素1004を含み得る。受信構成要素1004は、少なくとも1つのアクセスノード(たとえば、アクセスノード1050)から信号を受信し得る。一態様では、受信構成要素1004は、1つまたは複数の情報ブロック(たとえば、MIBおよび/またはSIB)および1つまたは複数の同期信号を受信し得る。受信構成要素1004は、装置1002からのメッセージに対する応答をさらに受信し得る。応答は、1ビット値を含み、基準信号を含み得る。受信構成要素1004は、接続再構成メッセージをさらに受信し得る。
【００９６】
装置1002は、メッセージ生成構成要素1006を含み得る。態様では、メッセージ生成構成要素1006は、受信構成要素1004を介してアクセスノード1050から受信されたMIBに基づいて第1のメッセージを生成し得る。メッセージ生成構成要素1006は、第1のメッセージ内にランダムアクセスプリアンブル、装置1002のID、および/またはBSRを含み得る。メッセージ生成構成要素1006は、第1のメッセージを送信構成要素1010に提供し得る。
【００９７】
この装置は、同期構成要素1008をさらに含み得る。同期構成要素1008は、受信構成要素1004を介してアクセスノード1050から受信された同期信号に基づいて、粗周波数およびタイミング情報を取得し得る。同期構成要素1008は、粗周波数およびタイミング情報を送信構成要素1010に提供し得る。
【００９８】
この装置は、送信構成要素1010をさらに含み得る。送信構成要素1010は、同期構成要素1008によって提供される粗周波数およびタイミング情報に基づいて、第1のメッセージをアクセスノード1050に送信し得る。
【００９９】
この装置は、接続確立構成要素1014をさらに含み得る。態様では、接続確立構成要素1014は、受信構成要素1004を介してアクセスノード1050から受信された応答に基づいて、装置1002が接続再構成のプロセスを維持するべきかどうかを決定し得る。
【０１００】
接続確立構成要素1014が接続再構成のプロセスを維持するべきであることを示す応答を受信した後、接続確立構成要素1014は、受信構成要素1004を介して接続再構成メッセージを受信し得る。接続再構成メッセージは、アクセスノード1050または別のアクセスノードから受信され得る。
【０１０１】
この装置は、図5の上述のコールフローおよび/または図8のフローチャート中のアルゴリズムのブロックの各々を実行する追加の構成要素を含み得る。したがって、図5および図8の上述のコールフロー/フローチャート内の各ブロック/動作は、1つの構成要素によって実施される場合があり、装置は、それらの構成要素のうちの1つまたは複数を含む場合がある。構成要素は、述べられたプロセス/アルゴリズムを遂行するように具体的に構成された1つもしくは複数のハードウェア構成要素であるか、述べられたプロセス/アルゴリズムを実施するように構成されたプロセッサによって実装されるか、プロセッサによる実装のためにコンピュータ可読媒体内に記憶されるか、またはそれらの何らかの組合せであり得る。
【０１０２】
図11は、処理システム1114を採用する装置1002'のためのハードウェア実装形態の一例を示す図1100である。処理システム1114は、バス1124によって全体的に表される、バスアーキテクチャを用いて実装されてもよい。バス1124は、処理システム1114の特定の適用例および全体的な設計制約に応じて、任意の数の相互接続バスとブリッジとを含んでもよい。バス1124は、プロセッサ1104によって表される1つまたは複数のプロセッサおよび/またはハードウェア構成要素と、構成要素1004、1006、1008、1010、1014と、コンピュータ可読媒体/メモリ1106とを含む様々な回路を互いにリンクする。バス1124はまた、タイミングソース、周辺装置、電圧調整器、および電力管理回路など、様々な他の回路をリンクしてもよいが、これらの回路は当技術分野においてよく知られており、したがって、これらの回路についてはこれ以上説明しない。
【０１０３】
処理システム1114はトランシーバ1110に結合され得る。トランシーバ1110は1つまたは複数のアンテナ1120に結合される。トランシーバ1110は、送信媒体を介して種々の他の装置と通信するための手段を与える。トランシーバ1110は、1つまたは複数のアンテナ1120から信号を受信し、受信された信号から情報を抽出し、抽出された情報を処理システム1114、具体的には受信構成要素1004に供給する。加えて、トランシーバ1110は、処理システム1114、具体的には送信構成要素1010から情報を受信し、受信された情報に基づいて、1つまたは複数のアンテナ1120に印加されるべき信号を生成する。処理システム1114は、コンピュータ可読媒体/メモリ1106に結合されたプロセッサ1104を含む。プロセッサ1104は、コンピュータ可読媒体/メモリ1106に記憶されたソフトウェアの実行を含む、一般的な処理に関与する。ソフトウェアは、プロセッサ1104によって実行されたときに、処理システム1114に、任意の特定の装置のための上記で説明した様々な機能を実行させる。コンピュータ可読媒体/メモリ1106はまた、ソフトウェアを実行するときにプロセッサ1104によって操作されるデータを記憶するために使用され得る。処理システム1114は、構成要素1004、1006、1008、1010、1014のうちの少なくとも1つをさらに含む。それらの構成要素は、プロセッサ1104内で動作し、コンピュータ可読媒体/メモリ1106内に存在する/記憶されたソフトウェア構成要素、プロセッサ1104に結合された1つもしくは複数のハードウェア構成要素、またはそれらの何らかの組合せであり得る。
【０１０４】
一構成では、ワイヤレス通信のための装置1002/1002'はUEであってもよく、接続再構成プロセスを円滑にするために、ランダムアクセスプリアンブルおよびUE識別子を含む第1のメッセージを第1のアクセスノードに送信するための手段を含み得る。装置1002/1002'は、第1のアクセスノードから第1のメッセージに対する応答を受信するための手段をさらに含み得る。装置1002/1002'は、第1のメッセージに対する応答に基づいて接続再構成プロセスを維持するための手段をさらに含み得る。装置1002/1002'は、第2のアクセスノードから接続再構成メッセージを受信するための手段をさらに含み得る。
【０１０５】
いくつかの態様では、接続再構成メッセージは、第2のアクセスノードに関連するセル識別子、タイミングアドバンス情報、C-RNTI、アップリンク割当てデータ、および/またはダウンリンク割当てデータのうちの少なくとも1つを含む。いくつかの態様では、第1のアクセスノードおよび第2のアクセスノードは同じアクセスノードである。
【０１０６】
装置1002/1002'は、第1のアクセスノードからMIBおよび同期信号を受信するための手段をさらに含み得る。1002/1002'は、MIBに基づいて第1のメッセージを生成するための手段をさらに含み得る。いくつかの態様では、第1のメッセージを送信するための手段は、同期信号に基づいて送信するように構成される。
【０１０７】
いくつかの態様では、第1のメッセージに対する応答は1ビットである。いくつかの態様では、第1のメッセージに対する応答は、基準信号を含む。いくつかの態様では、基準信号は、UE識別子または同期信号識別子のうちの1つによってシードされる。いくつかの態様では、第1のメッセージは、バッファステータス報告をさらに含む。いくつかの態様では、第1のメッセージは、第1のアクセスノードとのタイミング整合なしに送信される。いくつかの態様では、第1のメッセージに対する応答に基づいて接続再構成プロセスを維持するための手段は、接続再構成プロセスを継続するために接続再構成メッセージを待つように構成される。
【０１０８】
上述の手段は、上述の手段によって列挙された機能を実行するように構成された、装置1002、および/または装置1002'の処理システム1114の上述の構成要素のうちの1つまたは複数であり得る。上記で記載されたように、処理システム1114は、TXプロセッサ368、RXプロセッサ356、およびコントローラ/プロセッサ359を含む場合がある。そのため、一構成では、上述の手段は、上述の手段によって列挙された機能を実行するように構成された、TXプロセッサ368、RXプロセッサ356、およびコントローラ/プロセッサ359であり得る。
【０１０９】
図12は、例示的な装置1202内の様々な手段/構成要素間のデータフローを示す概念データフロー図1200である。装置はアクセスノードであってもよい。たとえば、装置1202は、図4のアクセスノード402aおよび/またはアクセスノード404であってもよい。
【０１１０】
装置1202は、受信構成要素1204を含み得る。受信構成要素1204は、少なくとも1つのUE(たとえば、UE1250)からの信号を受信し得る。装置1202は、送信構成要素1210をさらに含み得る。送信構成要素1210は、少なくとも1つのUE(たとえば、UE1250)に信号を送信し得る。
【０１１１】
一態様では、装置1202は、同期および情報構成要素1208を含み得る。同期および情報構成要素1208は、少なくとも同期信号および情報ブロック(たとえば、MIBおよび/またはSIB)を生成し得る。同期信号は、UEが装置1202に接続される前に、たとえば、UE1250に粗周波数およびタイミング情報を提供し得る。情報ブロック(たとえば、MIB)は、UE1250が接続再構成のプロセスを円滑にし得るように情報を含み得る。
【０１１２】
装置1202は、接続促進構成要素1212をさらに含み得る。接続促進構成要素1212は、受信構成要素1204を介してUE1250からメッセージを受信し得る。メッセージは、少なくともUE1250のID、ランダムアクセスプリアンブル、および/またはBSRを含み得る。
【０１１３】
接続促進構成要素1212は、メッセージからの情報を接続再構成構成要素1214に提供し得る。接続再構成構成要素1214は、UE1250が接続再構成のプロセスを維持するべきかどうかを決定し得る。接続再構成構成要素1214は、UE1250がメッセージに対する応答として送信構成要素1210への接続再構成のプロセスを維持するべきかどうかの指示を提供し得る。一態様では、応答は1ビット値であり得る。他の態様では、応答は基準信号を含み得る。送信構成要素1210は、接続再構成メッセージに先立ってこの応答をUE1250に送信し得る。
【０１１４】
接続再構成構成要素1214は、UE1250の接続再構成プロセス(たとえば、スケジューリング情報)に関連する情報を接続シグナリング構成要素1216にさらに提供し得る。接続シグナリング構成要素1216は、接続再構成メッセージを生成し得る。接続再構成メッセージは、セル識別子、タイミングアドバンス情報、C-RNTI、アップリンク割当てデータ、および/またはダウンリンク割当てデータのうちの少なくとも1つを含み得る。接続シグナリング構成要素1216は、UE1250に送信されるべき送信構成要素1210に接続再構成メッセージを提供し得る。
【０１１５】
この装置は、図5の上述のコールフローおよび/または図9の上述のフローチャート中のアルゴリズムのブロックの各々を実行する追加の構成要素を含み得る。したがって、図5および図9の上述のコールフロー/フローチャート内の各ブロック/動作は、1つの構成要素によって実施される場合があり、装置は、それらの構成要素のうちの1つまたは複数を含む場合がある。構成要素は、述べられたプロセス/アルゴリズムを遂行するように具体的に構成された1つもしくは複数のハードウェア構成要素であるか、述べられたプロセス/アルゴリズムを実施するように構成されたプロセッサによって実装されるか、プロセッサによる実装のためにコンピュータ可読媒体内に記憶されるか、またはそれらの何らかの組合せであり得る。
【０１１６】
図13は、処理システム1314を採用する装置1302'のためのハードウェア実装形態の一例を示す図1300である。処理システム1314は、バス1324によって全体的に表される、バスアーキテクチャを用いて実装されてもよい。バス1324は、処理システム1314の特定の適用例と全体的な設計制約とに依存して、任意の個数の相互接続するバスとブリッジとを含むことができる。バス1324は、プロセッサ1304によって表される1つまたは複数のプロセッサおよび/またはハードウェア構成要素と、構成要素1204、1208、1210、1212、1214、1216と、コンピュータ可読媒体/メモリ1306とを含む様々な回路を互いにリンクする。バス1324はまた、タイミングソース、周辺装置、電圧調整器、および電力管理回路などの、様々な他の回路をリンクする場合があるが、これらの回路は当技術分野においてよく知られており、したがって、これ以上説明されない。
【０１１７】
処理システム1314はトランシーバ1310に結合され得る。トランシーバ1310は、1つまたは複数のアンテナ1320に結合される。トランシーバ1310は、送信媒体を介して種々の他の装置と通信するための手段を与える。トランシーバ1310は、1つまたは複数のアンテナ1320から信号を受信し、受信された信号から情報を抽出し、抽出された情報を処理システム1314、特に受信構成要素1204に与える。さらに、トランシーバ1310は、処理システム1314、特に送信構成要素1210から情報を受信し、受信された情報に基づいて、1つまたは複数のアンテナ1320に適用されるべき信号を生成する。処理システム1314は、コンピュータ可読媒体/メモリ1306に結合されたプロセッサ1304を含む。プロセッサ1304は、コンピュータ可読媒体/メモリ1306に記憶されたソフトウェアの実行を含む、一般的な処理に関与する。ソフトウェアは、プロセッサ1304によって実行されたときに、処理システム1314に、任意の特定の装置のための上記で説明した様々な機能を実行させる。コンピュータ可読媒体/メモリ1306は、ソフトウェアを実行するときにプロセッサ1304によって操作されるデータを記憶するためにも使用され得る。処理システム1314は、構成要素1204、1208、1210、1212、1214、1216のうちの少なくとも1つをさらに含む。それらの構成要素は、プロセッサ1304内で動作し、コンピュータ可読媒体/メモリ1306に常駐する/記憶されたソフトウェア構成要素、プロセッサ1304に結合された1つもしくは複数のハードウェア構成要素、またはそれらの何らかの組合せであり得る。
【０１１８】
一構成では、ワイヤレス通信のための装置1202/1202'は第1のアクセスノードであってもよく、ランダムアクセスプリアンブルおよびUE識別子を含む第1のメッセージをUEから受信するための手段を含み得る。装置1202/1202'は、接続再構成プロセスに関連して、UEに第1のメッセージに対する応答を送信するための手段をさらに含み得る。装置1202/1202'は、UEの接続再構成プロセスを円滑にするための手段をさらに含み得る。装置1202/1202'は、UEの接続再構成プロセスを継続するために接続再構成メッセージを送信するための手段をさらに含み得る。一態様では、接続再構成メッセージは、セル識別子、タイミングアドバンス情報、C-RNTI、アップリンク割当てデータ、およびダウンリンク割当てデータのうちの少なくとも1つを含む。
【０１１９】
装置1202/1202'は、UEの接続再構成プロセスを継続するために、第2のアクセスノードに接続再構成メッセージを送信するように指示するための手段をさらに含み得る。装置1202/1202'は、マスタ情報ブロック(MIB)および同期信号を送信するための手段をさらに含み得る。一態様では、第1のメッセージに対する応答は1ビットである。一態様では、第1のメッセージに対する応答は、基準信号を含む。一態様では、基準信号は、UE識別子または同期信号識別子のうちの1つによってシードされる。一態様では、第1のメッセージは、バッファステータス報告を含む。
【０１２０】
上述の手段は、上述の手段によって列挙された機能を実行するように構成された、装置1202、および/または装置1202'の処理システム1314の上述の構成要素のうちの1つまたは複数であり得る。上記で説明されたように、処理システム1314は、TXプロセッサ316と、RXプロセッサ370と、コントローラ/プロセッサ375とを含む場合がある。そのため、一構成では、上述の手段は、上述の手段によって列挙された機能を実行するように構成された、TXプロセッサ316、RXプロセッサ370、およびコントローラ/プロセッサ375であり得る。
【０１２１】
開示されたプロセス/フローチャートにおけるブロックの特定の順序または階層が例示的な手法の例示であることを理解されたい。設計上の選好に基づいて、プロセス/フローチャートにおけるブロックの特定の順序または階層が再構成される場合があることを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【０１２２】
上述の説明は、本明細書で説明した様々な態様を当業者が実施できるようにするために提供される。これらの態様への様々な変更が当業者には容易に明らかになり、本明細書において規定された一般原理は他の態様に適用され得る。したがって、特許請求の範囲は、本明細書に示される態様に限定されることは意図されず、クレーム文言と一致するすべての範囲を与えられるべきであり、単数形の要素への言及は、そのように明記されていない限り、「唯一無二の」ではなく、「1つまたは複数の」を意味することが意図される。「例示的」という単語は、本明細書では、「例、実例、または例証として機能する」を意味するために使用される。「例示的」として本明細書において説明されるいずれの態様も、必ずしも他の態様よりも好ましいか、または有利であると解釈されるべきでない。その他の形で特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、A、B、および/またはCの任意の組合せを含み、複数のA、複数のB、または複数のCを含んでもよい。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者にとって周知の、または後に周知となる、本開示全体を通じて説明した様々な態様の要素に対するすべての構造的および機能的均等物が、参照により本明細書に明確に組み込まれ、特許請求の範囲によって包含されることが意図される。さらに、本明細書で開示したものは、そのような開示が特許請求の範囲に明示的に列挙されているかどうかにかかわらず、公に供されるものではない。「モジュール」、「機構」、「要素」、「デバイス」などの単語は、「手段」という単語の代用ではない場合がある。したがって、いかなるクレーム要素も、その要素が「のための手段」という語句を使用して明確に列挙されていない限り、ミーンズプラスファンクションとして解釈されるべきではない。
【符号の説明】
【０１２３】
100  アクセスネットワーク
102  基地局
104  UE
110  カバレージエリア
120  通信リンク
132  バックホールリンク
150  Wi-Fiアクセスポイント(AP)
152  Wi-Fi局(STA)
154  通信リンク
160  発展型パケットコア(EPC)
162  モビリティ管理エンティティ(MME)
164  他のMME
166  サービングゲートウェイ
168  マルチメディアブロードキャストマルチキャストサービス(MBMS)ゲートウェイ
170  ブロードキャストマルチキャストサービスセンタ(BM-SC)
172  パケットデータネットワーク(PDN)ゲートウェイ
174  ホーム加入者サーバ(HSS)
176  IPサービス
198  接続再構成のプロセス
310  eNB
316  送信(TX)プロセッサ
318  送信機
318  受信機
320  アンテナ
350  UE
352  アンテナ
354  受信機
354  送信機
356  受信(RX)プロセッサ
358  チャネル推定器
359  コントローラ/プロセッサ
360  メモリ
368  TXプロセッサ
370  受信(RX)プロセッサ
374  チャネル推定器
375  コントローラ/プロセッサ
376  メモリ
400  通信システム
402a  アクセスノード
402b  アクセスノード
404  アクセスノード
406  UE
410a  セル
410b  セル
412  セル
414  ゾーン
420  情報ブロック
422  同期信号
424  第1のメッセージ
426  応答
427  命令
428  接続再構成メッセージ
500  コールフロー
502  アクセスノード
506  UE
600  特殊サブフレーム
602  第1の部分
604  ガード期間
606  第2の部分
608  第1のメッセージ
620  サブフレーム
622  第1の部分
624  指示
626  ガード期間
740  ダウンリンクサブフレーム
742  第1の部分
744  指示
746  基準信号
760  サブフレーム
762  サイクリックプレフィックス
764  シンボル
766  シンボル
768  ギャップ
1002  装置
1004  受信構成要素
1006  メッセージ生成構成要素
1008  同期構成要素
1010  送信構成要素
1014  接続確立構成要素
1050  アクセスノード
1104  プロセッサ
1106  コンピュータ可読媒体/メモリ
1110  トランシーバ
1114  処理システム
1120  アンテナ
1124  バス
1202  装置
1204  受信構成要素
1208  同期および情報構成要素
1210  送信構成要素
1212  接続促進構成要素
1214  接続再構成構成要素
1216  接続シグナリング構成要素
1250  UE
1302'  装置
1304  プロセッサ
1306  コンピュータ可読媒体/メモリ
1310  トランシーバ
1314  処理システム
1320  アンテナ
1324  バス
【図１】
2018537896.tif 000003
【図２Ａ】
2018537896.tif 000004
【図２Ｂ】
2018537896.tif 000005
【図２Ｃ】
2018537896.tif 000006
【図２Ｄ】
2018537896.tif 000007
【図３】
2018537896.tif 000008
【図４】
2018537896.tif 000009
【図５】
2018537896.tif 000010
【図６Ａ】
2018537896.tif 000011
【図６Ｂ】
2018537896.tif 000012
【図７Ａ】
2018537896.tif 000013
【図７Ｂ】
2018537896.tif 000014
【図８】
2018537896.tif 000015
【図９】
2018537896.tif 000016
【図１０】
2018537896.tif 000017
【図１１】
2018537896.tif 000018
【図１２】
2018537896.tif 000019
【図１３】
2018537896.tif 000020
【国際調査報告】
2018537896.tif 000021
2018537896.tif 000022
2018537896.tif 000023
2018537896.tif 000024